(57)【要約】【課題】筒状体の巻き上げ状態を保持する手段及び巻き上げ状態の筒状体を加熱する手段を用いることなく、巻き上げ状態を保持するようにくせ付けられた筒状体を有する毛髪保持具を簡便に製造することができる毛髪保持具を提供すること。【解決手段】一端の開口部２１から他端の開口部２２に向けて毛髪束を挿通可能にシート２３，２４を貼り合わせて構成された扁平形状の筒状体２からなり、該筒状体２は、所定形状の巻き上げ状態を保持する巻き上げ力が発現するようにくせ付けをされている毛髪保持具であって、前記筒状体２がその一方の面を形成する前記シート２３を弾性変形範囲内で伸長させた状態でその他方の面を形成する前記シート２４に貼り合わせて形成されることにより、該筒状体２の前記巻き上げ力が発現するようになされている。【選択図】図１
2006068263.tif 000002
【特許請求の範囲】
【請求項１】
一端の開口部から他端の開口部に向けて毛髪束を挿通可能にシートを貼り合わせて構成された扁平形状の筒状体からなり、該筒状体は、所定形状の巻き上げ状態を保持する巻き上げ力が発現するようにくせ付けをされている毛髪保持具であって、
前記筒状体がその一方の面を形成する前記シートを弾性変形範囲内で伸長させた状態でその他方の面を形成する前記シートに貼り合わせて形成されることにより、該筒状体の前記巻き上げ力が発現するようになされている毛髪保持具。
【請求項２】
一端の開口部から他端の開口部に向けて毛髪束を挿通可能にシートを貼り合わせて構成された扁平形状の筒状体からなり、該筒状体は、所定形状の巻き上げ状態を保持する巻き上げ力が発現するようにくせ付けをされている毛髪保持具であって、
前記筒状体の一方の面を形成する前記シートは、巻き上げ力が発現するようになされた複層シートからなり、
前記複層シートの前記巻き上げ力により、前記筒状体の前記巻き上げ力が発現するようになされている毛髪保持具。
【請求項３】
前記積層シートは２層シートであり、該積層シートがその第１層の材料を弾性変形範囲内で伸長させた状態でその第２層の材料に貼り合わせて形成されることにより、該積層シートの前記巻き上げ力が発現するようになされている請求項２記載の毛髪保持具。
【請求項４】
前記積層シートは、２層シートで、その第１層の材料と第２層の材料とを溶融状態で貼り合わせてから固化させて形成されており、
前記第１層の材料における溶融状態から固化状態へ移行した際の収縮率が、前記第２層の材料における溶融状態から固化状態へ移行した際の収縮率よりも大きくなされていることより、前記積層シートの前記巻き上げ力が発現するようになされている請求項２記載の毛髪保持具。
【発明の詳細な説明】
【技術分野】
【０００１】
本発明は、パーマ等により毛髪にカールを付与する場合に、毛髪束を所定の形状に巻回するときの補助具として用いられる毛髪保持具に関する。
【背景技術】
【０００２】
下記特許文献１には、本出願人による「一端の開口部から他端の開口部に向けて毛髪束を挿通可能にシートにより構成された扁平形状の筒状体からなり、該筒状体は、所定形状の巻き上げ状態が保持されるようにくせ付けをされている毛髪保持具」が記載されている。この毛髪保持具によれば、引き伸ばした状態の筒状体の内部に毛髪束を挿入し、その後筒状体への引き伸ばし力を解除することにより、筒状体が自発的に巻き上がり、毛髪束を筒状体ごと巻き上げることができ、簡便な操作で毛髪にカールを付与することができる。
【０００３】
【特許文献１】特開２００３−９３１３３号公報
【発明の開示】
【発明が解決しようとする課題】
【０００４】
しかし、前記特許文献１記載の前記毛髪保持具においては、筒状体を巻き上げ、その巻き上げ状態を所定の手段によって保持し、その巻き上げ状態下に筒状体を所定温度に加熱することにより、巻き上げ状態のくせ付けを行っている。そのため、筒状体の製造の際には、巻き上げ状態の筒状体を保持する手段及び巻き上げ状態の筒状体を加熱する手段が必要であり、その点で毛髪保持具の製造が簡便ではない。
【０００５】
従って、本発明の目的は、筒状体の巻き上げ状態を保持する手段及び巻き上げ状態の筒状体を加熱する手段を用いることなく、巻き上げ状態を保持するようにくせ付けられた筒状体を有する毛髪保持具を簡便に製造することができる毛髪保持具を提供することにある。
【課題を解決するための手段】
【０００６】
本発明は、一端の開口部から他端の開口部に向けて毛髪束を挿通可能にシートを貼り合わせて構成された扁平形状の筒状体からなり、該筒状体は、所定形状の巻き上げ状態を保持する巻き上げ力が発現するようにくせ付けをされている毛髪保持具であって、前記筒状体がその一方の面を形成する前記シートを弾性変形範囲内で伸長させた状態でその他方の面を形成する前記シートに貼り合わせて形成されることにより、該筒状体の前記巻き上げ力が発現するようになされている毛髪保持具を提供することにより、上記目的を達成したものである。
【０００７】
また、本発明は、一端の開口部から他端の開口部に向けて毛髪束を挿通可能にシートを貼り合わせて構成された扁平形状の筒状体からなり、該筒状体は、所定形状の巻き上げ状態を保持する巻き上げ力が発現するようにくせ付けをされている毛髪保持具であって、前記筒状体の一方の面を形成する前記シートは、巻き上げ力が発現するようになされた複層シートからなり、前記複層シートの前記巻き上げ力により、前記筒状体の前記巻き上げ力が発現するようになされている毛髪保持具を提供することにより、上記目的を達成したものである。
【発明の効果】
【０００８】
本発明の毛髪保持具によれば、筒状体の巻き上げ状態を保持する手段及び巻き上げ状態の筒状体を加熱する手段を用いることなく、巻き上げ状態を保持するようにくせ付けられた筒状体を有する毛髪保持具を簡便に製造することができる。
【発明を実施するための最良の形態】
【０００９】
以下、本発明の毛髪保持具を、その好ましい一実施形態である第１実施形態について、図１を参照して説明する。
第１実施形態の毛髪保持具１は、図１に示すように、一端の開口部２１から他端の開口部２２に向けて毛髪束Ｈ（図４参照）を挿通可能にシート２３，２４を貼り合わせて構成された扁平形状の筒状体２からなり、該筒状体２は、所定形状の巻き上げ状態を保持する巻き上げ力が発現するようにくせ付けをされている毛髪保持具であって、前記筒状体２がその一方の面を形成する前記シート２３を弾性変形範囲内で伸長させた状態でその他方の面を形成する前記シート２４に貼り合わせて形成されることにより、該筒状体２の前記巻き上げ力が発現するようになされている。
【００１０】
第１実施形態の毛髪保持具１について以下に詳述する。
筒状体２は、図１に示すように、一端の開口部２１から他端の開口部２２に向けて毛髪束を挿通可能にシート２３，２４を貼り合わせて構成された扁平形状のもので、２枚の矩形状のシート２３、２４を、その長手方向に沿う側端部同士を接合させて形成されている。筒状体２の大きさは、長さ５０〜３５０ｍｍ、長径２０〜１００ｍｍ、短径０〜３０ｍｍであることが好ましく、毛髪の長さやくせ付けしたい場所、挿入する毛髪束の量に応じて適宜選択できる。
【００１１】
筒状体２は、図１に示すように、一方の面を形成するシート（以下「一面シート」ともいう）２３を内側にしてロール状に巻き上げ状態を保持する巻き上げ力が発現するようにくせ付けをされている。そのため、筒状体２は、その長手方向に引き伸ばした状態にして、その状態から解放すると、ロール状に巻き上げられた状態へと自発的に巻き上げられるようになっている。
第１実施形態においては、筒状体２が一面シート２３を弾性変形範囲内で伸長させた状態で他面シート２４に貼り合わせて形成されることにより、筒状体２の前記巻き上げ力が発現するようになされている。
【００１２】
巻き上げ力が発現するようにくせ付けされた筒状体２の製造手順は以下の通りである。
先ず、図２（ａ）に示すように、一面シート２３を弾性変形範囲内で伸長させる。一面シート２３は、弾性変形範囲内で伸長させることができるが、この伸長長さは、筒状体２の巻き上げ力の大きさの定める主なパラメータとなる。次に、一面シート２３の伸長状態を保持した状態で、図２（ｂ）に示すように、一面シート２３の両側端部と他面シート２４の両側端部とを接合させる。この接合には、例えばヒートシールが用いられる。一面シート２３と他面シート２４との接合位置、接合面積等は、一面シート２３、他面シート２４の大きさ等に応じて設定される。
このように製造された筒状体２においては、一面シート２３への伸長力を解除すると、一面シート２３に収縮力が生じる。そのため、筒状体２は、図１（ａ）に示す伸長状態から、図１（ｂ）及び（ｃ）に示すように、一面シート２３を内側にしたロール状の巻き上げ状態を保持する巻き上げ力が発現する。
【００１３】
筒状体２の巻き上げ力を定める主なパラメータは、前述したように、一面シート２３と他面シート２４との貼り合わせ時における一面シート２３の伸長長さであるが、一面シート２３のヤング率、厚さ、材質等、他面シート２４の厚さ、材質等又は一面シート２３と他面シート２４との接合手段、接合位置、接合面積等もパラメータとなる。
一面シート２３のヤング率は、好ましくは５００ＭＰａ〜３０００ＭＰａである。一面シート２３の厚さは、好ましくは１０μｍ〜５００μｍである。他面シート２４の厚さは、好ましくは５０μｍ〜５００μｍである。
筒状体２を構成する一面シート２３，他面シート２４としては、例えば、ポリオレフィン系不織布、ポリエステル系不織布、ナイロン系不織布や、ポリウレタン等のエラストマー系不織布、及び織布を用いることできる。本実施形態においては、毛髪処理剤に対して透過性を有するポリエチレン系不織布を用いている。
一面シート２３と他面シート２４との接合手段としては、ヒートシール以外にも、例えば、接着や縫合を用いることができる。
【００１４】
本実施形態においては、筒状体２が前述した構成を有しているため、一面シート２３を内側にした巻き上げ状態を保持する巻き上げ力が発現する。筒状体２の巻き上げ力は、好ましくは０．５Ｎ以上、更に好ましくは０．８Ｎ以上である。
本発明における「筒状体の巻き上げ力」は、以下のようにして測定される巻き上げ力である。
図３に示すように、予め巻き上げ形状を記憶させた筒状体２をローラＲの外周にセットする。ローラＲは摩擦力を最小にすべく、ベアリング機構が設けられている方が好ましい。その後筒状体２の端部をクリップＣ等でチャックし、フォースゲージＧを使用して筒状体２を水平方向に引き抜いたときの最高値を「巻き上げ力」と定義する。
【００１５】
次に、図１に示す第１実施形態の毛髪保持具の一使用態様について、図４を参照して説明する。
毛髪束Ｈの量や得ようとするカール形状に応じて、適当な長さ、幅、巻き上げ力、巻き上げ形状等を有する筒状体２からなる毛髪保持具１を用いる。先ず、図４（ａ）に示すように、筒状体２を引き伸ばし、その状態で筒状体２の一端の開口部２１を楕円形状に開口して、該開口部２１から毛髪束Ｈを挿入する。その際には、毛髪保持具１の内部に毛髪束Ｈを挿入又は挿通する毛髪挿入具（図示せず）を用いると、毛髪束Ｈの挿入作業が簡便となる。
【００１６】
そして、図４（ｂ）に示すように、毛髪束Ｈを筒状体２に挿通させた後、筒状体２の引き伸ばし状態を解除すれば、図４（ｃ）及び（ｄ）に示すように、筒状体２は一面シート２３を内側にして他端の開口部２２の側から自発的に巻き上がる。
その後、筒状体２の外側からパーマ用の毛髪処理剤を毛髪束Ｈに付与する。毛髪処理剤は、一面シート２３、他面シート２４を介して毛髪束Ｈに付与される。所定時間後、筒状体２から毛髪束Ｈを挿脱し、洗髪等して、パーマ処理を完了する。
筒状体２の開口部２１から毛髪束Ｈを挿入させる際に、必要に応じ、開口部２１を真円状に開口した方が、毛髪束Ｈをスムーズに挿入させ易い。また、毛髪束Ｈの先端を筒状体２の他端の開口部２２からはみ出させてもよい。
【００１７】
第１実施形態の毛髪保持具１においては、筒状体２が一面シート２３を弾性変形範囲内で伸長させた状態で他面シート２４に貼り合わせて形成されることにより、筒状体２の前記巻き上げ力が発現するようになされているため、筒状体２の巻き上げ状態を保持する手段及び巻き上げ状態の筒状体２を加熱する手段を用いることなく、巻き上げ状態を保持するようにくせ付けられた筒状体２を有する毛髪保持具を簡便に製造することができる。
また、一面シート２３として、所定のヤング率、厚み、材質に規定されたシートを用いているため、製造が容易で、かつ毛束を巻き上げるのに必要な自発的な巻き上げ力を付与することが可能である。
【００１８】
次に、本発明の毛髪保持具の他の実施形態について説明する。これらの実施形態については、図１に示す第１実施形態と異なる点についてのみ説明し、特に説明しない点については、第１実施形態に関する説明が適宜適用される。そして、他の実施形態の毛髪保持具においても、第１実施形態の毛髪保持具と同様に、筒状体２の巻き上げ状態を保持する手段及び巻き上げ状態の筒状体２を加熱する手段を用いることなく、巻き上げ状態を保持するようにくせ付けられた筒状体２を有する毛髪保持具を簡便に製造することができる。
【００１９】
図５に示す第２実施形態の毛髪保持具１は、図１に示す第１実施形態の毛髪保持具１に比して、一面シート２３自体が、巻き上げ力が発現するようになされた複層シートからなり、該複層シートの巻き上げ力により、筒状体２の巻き上げ力が発現するようになされている点が主として異なる。その他の点については、第１実施形態の毛髪保持具１と同様である。
【００２０】
第２実施形態の毛髪保持具１においては、図５に示すように、一面シート２３が、巻き上げ力が発現するようになされた複層シートからなる。詳述すると、該複層シートは２層シートであり、該積層シートがその第１層の材料２３Ａを弾性変形範囲内で伸長させた状態でその第２層の材料２３Ｂに貼り合わせて形成されることにより、該積層シートの前記巻き上げ力が発現するようになされている。
【００２１】
巻き上げ力が発現するようになされた一面シート２３の製造手順は以下の通りである。
先ず、図５（ａ）に示すように、第１層の材料２３Ａを弾性変形範囲内で伸長させる。第１層の材料２３Ａは、弾性変形範囲内で伸長させることができるが、この伸長長さは、一面シート２３の巻き上げ力の大きさの定める主なパラメータとなる。次に、第１層の材料２３Ａの伸長状態を保持した状態で、図５（ｂ）に示すように、第１層の材料２３Ａと第２層の材料２３Ｂとを接着層２３Ｃを介して全面的に接合させる。
【００２２】
第１層の材料２３Ａとしては、例えば、ポリエチレンフィルム、エチレンビニルアセテート（ＥＶＡ）フィルムを用いることができる。本実施形態においては、ポリエチレンフィルムを用いている。第２層の材料２３Ｂとしては、例えば、ポリエチレンテレフタレートフィルム、ポリプロピレンフィルム、ポリエチレンフィルム、ポリアクリルフィルム、ポリスチレンフィルムを用いることができる。本実施形態においては、ポリエチレンテレフタレートフィルムを用いている。
第１層の材料２３Ａと第２層の材料２３Ｂとの接合手段としては、接着以外にも、例えば、縫合を用いることができる。第１層の材料２３Ａと第２層の材料２３Ｂとは、必ずしも全面的に接合されている必要はなく、部分的に接合されていてもよい。
【００２３】
このように製造された一面シート２３においては、第１層の材料２３Ａへの伸長力を解除すると、第１層の材料２３Ａに収縮力が生じる。そのため、一面シート２３は、図５（ｂ）に示す伸長状態から、図５（ｃ）に示すように、第１層の材料２３Ａを内側にしたロール状の巻き上げ状態を保持する巻き上げ力が発現する。
そして、一面シート２３の両側端部と、別途製造された他面シート（図示せず）の両側端部同士を接合させる。
【００２４】
他面シートは、一面シート２３における第１層の材料２３Ａ側又は第２層の材料２３Ｂ側の何れにも接合することができる。
他面シートを一面シート２３における第２層の材料２３Ｂ側に接合した形態の筒状体（図示せず）では、一面シート２３を内側にしたロール状の巻き上げ状態を保持する巻き上げ力が発現する。また、他面シートを一面シート２３における第１層の材料２３Ａ側に接合した形態の筒状体（図示せず）では、他面シートを内側にした（換言すると、第１層の材料２３Ａを内側にした）ロール状の巻き上げ状態を保持する巻き上げ力が発現する。
【００２５】
他面シートを一面シート２３における第２層の材料２３Ｂ側に接合した形態の筒状体においては、第２層の材料２３Ｂと他面シートとを先に接合してから、第２層の材料２３Ｂと第１層の材料２３Ａとを接合して、筒状体を製造することもできる。
このように構成された第２実施形態の毛髪保持具においても、図１に示す第１実施形態の毛髪保持具と同様の効果が得られる。
【００２６】
次に、第３実施形態の毛髪保持具を、図６を参照しながら説明する。
第３実施形態の毛髪保持具は、図５に示す第２実施形態の毛髪保持具に比して、図６に示すように、積層シートである一面シート２３が、その第１層の材料２３Ａと第２層の材料２３Ｂとを溶融状態で貼り合わせてから固化させて形成されており、第１層の材料２３Ａにおける溶融状態から固化状態へ移行した際の収縮率が、第２層の材料２３Ｂにおける溶融状態から固化状態へ移行した際の収縮率よりも大きくなされていることより、前記積層シートの前記巻き上げ力が発現するようになされている点が主として異なる。その他の点については、第２実施形態の毛髪保持具１と同様である。
【００２７】
第３実施形態の毛髪保持具における一面シート２３について詳述する。
一面シート２３は、図６に示すように、積層シートであり、その第１層の材料２３Ａと第２層の材料２３Ｂとを溶融状態で貼り合わせてから固化させて形成されている。また、第１層の材料２３Ａにおける溶融状態から固化状態へ移行した際の収縮率が、第２層の材料２３Ｂにおける溶融状態から固化状態へ移行した際の収縮率よりも大きくなされていることにより、前記積層シートの前記巻き上げ力が発現するようになされている。
【００２８】
第１層の材料２３Ａとしては、例えば、エチレン酢酸ビニル共重合体樹脂、ポリエチレン樹脂を用いることができる。本実施形態においては、エチレン酢酸ビニル共重合体樹脂を用いている。第２層の材料２３Ｂとしては、例えば、ポリエチレンテレフタレート樹脂、ポリアクリル樹脂、ポリスチレン樹脂、ポリエチレン樹脂、ポリプロピレン樹脂を用いることができる。本実施形態においては、ポリエチレンテレフタレート樹脂を用いている。
【００２９】
巻き上げ力が発現するようになされた一面シート２３の製造手順は以下の通りである。
先ず、図６（ａ）に示すように、第１層の材料２３Ａと第２層の材料２３Ｂとをその間に接着層２３Ｃを介在させた状態で共押出しする。その後、第１層の材料２３Ａ及び第２層の材料２３Ｂを自然冷却又は強制冷却する。その結果、第１層の材料２３Ａと第２層の材料２３Ｂとが接着層２３Ｃを介して全面的に接合された一面シート２３が得られる。
【００３０】
このように製造された一面シート２３においては、第１層の材料２３Ａが第２層の材料２３Ｂよりも、溶融状態から固化状態へ移行した際の収縮率が大きくなされているため、第１層の材料２３Ａが第２層の材料２３Ｂよりも収縮の程度が大きい。そのため、一面シート２３は、図６（ａ）に示す伸長状態から、図６（ｂ）に示すように、第１層の材料２３Ａを内側にしたロール状の巻き上げ状態を保持する巻き上げ力が発現する。
【００３１】
そして、一面シート２３の両側端部と、別途製造された他面シート（図示せず）の両側端部同士を接合させる。
他面シートは、図５に示す第２実施形態における筒状体と同様に、一面シート２３における第１層の材料２３Ａ側又は第２層の材料２３Ｂ側の何れにも接合することができる。
このように構成された第３実施形態の毛髪保持具においても、図５に示す第２実施形態の毛髪保持具と同様の効果が得られる。
【００３２】
本発明の毛髪保持具は、前述した実施形態に制限されることなく、本発明の趣旨を逸脱しない限り、適宜変更が可能である。
筒状体の一方の面を形成するシートとして、巻き上げ力が発現するようになされた複層シートからなるシートを用いた形態においては、筒状体の他方の面を形成するシートにも、一方の面を形成するシートと同じ方向に巻き上げ力が発現するようになされた複層シートを用いることもできる。
【００３３】
本発明の毛髪保持具における「筒状体」を構成するシートの形状及びその表面状態は、上述の形態の筒状体を形成可能なものであれば良く、「扁平形状」という場合、シート材の表面は、凹凸面であってもよい。
筒状体の所定形状の巻き上げ状態は、ロール状に制限されず、例えば、波状、螺旋状等でもよい。
【００３４】
毛髪束の巻回の際には、従来と同様に、ロッドを併用してもよい。
また、本発明の毛髪保持具は、パーマ処理により毛髪にカールを付与する場合に限らず、毛髪束を巻回した後、ドライヤー等により熱処理したり、乾燥した毛髪を巻回状態で保持したり、濡れた状態の毛髪を巻回状態で保持し自然乾燥させたりして、毛髪にカールを付与する場合等にも適用することができる。毛髪に市販の整髪料を付与した後に、前述の方法によってくせ付けしても良い。
【図面の簡単な説明】
【００３５】
【図１】図１は、本発明の毛髪保持具の第１実施形態を示す斜視図で、（ａ）は引き伸ばした状態を示す図、（ｂ）及び（ｃ）は巻き上がった状態を示す図である。
【図２】図２（ａ）及び（ｂ）は、第１実施形態の毛髪保持具における一面シートの製造過程を示す斜視図である。
【図３】図３は、本発明における「筒状体の巻き上げ力」の測定方法を示す模式図である。
【図４】図４は、第１実施形態の毛髪保持具の一使用態様を示す図で、（ａ）、（ｂ）、（ｃ）及び（ｄ）は、それぞれ毛髪束の巻回手順を順次示す斜視図である。
【図５】図５は、本発明の毛髪保持具の第２実施形態における一面シートを示す中央縦断面図で、（ａ）及び（ｂ）は製造過程を示す図、（ｃ）は巻き上がった状態を示す図である。
【図６】図６は、本発明の毛髪保持具の第３実施形態における一面シートを示す中央縦断面図で、（ａ）は引き伸ばした状態を示す図、（ｂ）は巻き上がった状態を示す図である。
【符号の説明】
【００３６】
１  毛髪保持具
２  筒状体
２１、２２  開口部
２３  一面シート
２３Ａ  第１層の材料
２３Ｂ  第２層の材料
２３Ｃ  接着層
２４  他面シート
Ｈ  毛髪束
【図１】
2006068263.tif 000003
【図２】
2006068263.tif 000004
【図３】
2006068263.tif 000005
【図４】
2006068263.tif 000006
【図５】
2006068263.tif 000007
【図６】
2006068263.tif 000008